(57)【要約】【課題】火災受信機を点検者が操作しなくとも、地区音響装置の鳴動の設定を制御できるようにする。【解決手段】火災報知設備２の点検者が所持する携帯端末２０は、地区音響装置の鳴動を制御するコマンドを受け付ける。携帯端末２０は、コマンドを受け付けると、受け付けたコマンドをサーバ装置１０へ送信し、サーバ装置１０は、携帯端末２０から送られたコマンドを通信端末４０へ送信する。通信端末４０は、送信されたコマンドを受信機３０へ送る。受信機３０は、送られたコマンドに基いて地区音響装置の鳴動を制御する。【選択図】図１
2014071661.tif 000002
【特許請求の範囲】
【請求項１】
火災報知設備の点検者によって所持される携帯端末と、
前記火災報知設備が有する地区音響装置の鳴動を制御する制御装置と、
前記携帯端末及び前記制御装置と通信回線を介して通信を行う点検支援装置と、
を備える点検支援システムであって、
前記携帯端末は、
前記地区音響装置を制御するコマンドを受け付ける受付部と、
前記受付部が受け付けたコマンドを前記点検支援装置へ送信するコマンド送信部と
を有し、
前記点検支援装置は、
前記コマンド送信部から送信されたコマンドを受信し、受信したコマンドを前記制御装置へ送信するコマンド中継部を有し、
前記制御装置は、
前記コマンド中継部から送信されたコマンドを受信するコマンド受信部と、
前記コマンド受信部が受信したコマンドに基いて、前記地区音響装置の鳴動を制御する音響装置制御部と
を有する点検支援システム。
【請求項２】
前記コマンドには、前記地区音響装置の鳴動を禁止する第１コマンドと、前記地区音響装置を所定時間鳴動させる第２コマンドと、前記地区音響装置の鳴動の禁止を解除する第３コマンドがあり、
前記音響装置制御部は、
前記コマンド受信部が前記第１コマンドを受信した場合、前記地区音響装置を鳴動させない鳴動禁止状態となり、
鳴動禁止状態で前記第２コマンドを受信した場合、鳴動禁止状態を解除し、前記地区音響装置を所定時間鳴動させたあと、鳴動禁止状態となり、
前記第３コマンドを受信した場合、前記地区音響装置を鳴動可能な鳴動可能状態となる
請求項１に記載の点検支援システム。
【請求項３】
前記制御装置は、火災の発生を前記火災報知設備が有する感知器からの信号に基いて検知した場合、火災発生を知らせる情報を前記点検支援装置へ送信し、
前記点検支援装置は、当該情報を受信した場合、前記コマンドの入力を受け付ける画面を示すデータを生成し、
前記携帯端末は、当該データを取得して当該データが表す画面を表示する
請求項１又は請求項２に記載の点検支援システム。
【発明の詳細な説明】
【技術分野】
【０００１】
本発明は、火災報知設備の点検を支援する技術に関する。
【背景技術】
【０００２】
火災報知設備の試験を行う発明として、例えば特許文献１に開示された火災報知設備用試験装置がある。この試験装置においては、試験者が試験治具で火災感知器を動作させると、火災受信機が火災感知器の発報を検知する。火災受信機は、火災感知器の発報を検知すると、発報した火災感知器のアドレス情報を試験装置へ出力する。試験装置は、発報を行った火災感知器のアドレス情報を、試験者が携行している携帯端末へ通信インフラを介して送信し、携帯端末は、送信されたアドレスを表示する。
【先行技術文献】
【特許文献】
【０００３】
【特許文献１】特開２００３−９９８７０号公報
【発明の概要】
【発明が解決しようとする課題】
【０００４】
上記のように火災感知器の試験を行う場合、火災の発生を知らせる地区音響装置が火災感知器からの発報に連動して鳴動しないように火災受信機を設定する。これは、試験中に地区音響装置を鳴動させてしまうと、火災報知設備が設けられている設備内の人を驚かせてしまうからである。一方、地区音響装置の鳴動の試験を行う場合、地区音響装置が鳴動するように設定を行う必要がある。
地区音響装置の鳴動の制御については、火災受信機が行う。このため、火災感知器の試験に加えて地区音響装置の試験を行う場合、試験治具を携帯して火災感知器の試験を行う試験者が火災受信機の場所に行き、火災受信機を操作する必要がある。
特許文献１に開示されている試験装置においては、試験者が火災受信機の場所へ行かなくても火災感知器の試験を行えるものの、試験者が火災受信機の場所に行かなくても地区音響装置の試験を行えるようにはなっていない。
【０００５】
本発明は、上述した背景の下になされたものであり、火災受信機を点検者が操作しなくとも、地区音響装置の鳴動を制御できる技術を提供することを目的とする。
【課題を解決するための手段】
【０００６】
本発明に係る点検支援システムは、火災報知設備の点検者によって所持される携帯端末と、前記火災報知設備が有する地区音響装置の鳴動を制御する制御装置と、前記携帯端末及び前記制御装置と通信回線を介して通信を行う点検支援装置と、を備える点検支援システムであって、前記携帯端末は、前記地区音響装置を制御するコマンドを受け付ける受付部と、前記受付部が受け付けたコマンドを前記点検支援装置へ送信するコマンド送信部とを有し、前記点検支援装置は、前記コマンド送信部から送信されたコマンドを受信し、受信したコマンドを前記制御装置へ送信するコマンド中継部を有し、前記制御装置は、前記コマンド中継部から送信されたコマンドを受信するコマンド受信部と、前記コマンド受信部が受信したコマンドに基いて、前記地区音響装置の鳴動を制御する音響装置制御部とを有する。
【０００７】
また、本発明においては、前記コマンドには、前記地区音響装置の鳴動を禁止する第１コマンドと、前記地区音響装置を所定時間鳴動させる第２コマンドと、前記地区音響装置の鳴動の禁止を解除する第３コマンドがあり、前記音響装置制御部は、前記コマンド受信部が前記第１コマンドを受信した場合、前記地区音響装置を鳴動させない鳴動禁止状態となり、鳴動禁止状態で前記第２コマンドを受信した場合、鳴動禁止状態を解除し、前記地区音響装置を所定時間鳴動させたあと、鳴動禁止状態となり、前記第３コマンドを受信した場合、前記地区音響装置を鳴動可能な鳴動可能状態となる構成としてもよい。
【０００８】
また、本発明においては、前記制御装置は、火災の発生を前記火災報知設備が有する感知器からの信号に基いて検知した場合、火災発生を知らせる情報を前記点検支援装置へ送信し、前記点検支援装置は、当該情報を受信した場合、前記コマンドの入力を受け付ける画面を示すデータを生成し、前記携帯端末は、当該データを取得して当該データが表す画面を表示する構成としてもよい。
【発明の効果】
【０００９】
本発明によれば、火災受信機を点検者が操作しなくとも、地区音響装置の鳴動の設定を制御できる。
【図面の簡単な説明】
【００１０】
【図１】本発明の一実施形態に係る点検支援システムの全体構成を示した図。
【図２】本発明の実施形態に係る点検支援システムの一例を示す機能ブロック図。
【図３】点検予定テーブルの一例を示した図。
【図４】設置データテーブルの一例を示した図。
【図５】実施形態の動作例を説明するためのシーケンス図。
【図６】携帯端末２０に表示される画面の一例を示した図。
【図７】携帯端末２０に表示される画面の一例を示した図。
【図８】携帯端末２０に表示される画面の一例を示した図。
【発明を実施するための形態】
【００１１】
［実施形態］
図１は、本発明の実施形態に係る点検支援システム１の全体構成を示したシステム図である。通信回線１０００は、インターネットや電話網、移動体通信網などの通信回線である。点検支援システム１は、火災報知設備２の点検を行う者（以下、「点検者」と称する）が行う点検作業を支援するシステムであり、受信機３０、サーバ装置１０、携帯端末２０、通信端末４０で構成されている。点検者は、携帯端末２０を所持して火災報知設備２の点検を行う。点検者が火災報知設備２の点検を行う場合、受信機３０に接続された通信端末４０、サーバ装置１０及び携帯端末２０が通信回線１０００を介して通信を行うことにより、点検者は、点検作業の支援を受けることができる。
【００１２】
火災報知設備２は、建築物などの施設の内部に設置されている設備である。本実施形態に係る火災報知設備２は、Ｒ型（Record type）の受信機３０、火災感知器５０−１、５０−２、・・・、５０−ｎ（以下、それぞれを区別しない場合には火災感知器５０という）、発信機５１を有する。火災感知器５０及び発信機５１は、受信機３０に接続されている。
【００１３】
火災感知器５０には、周囲の温度を検知する熱感知器や、煙を感知する煙感知器などがあり、それぞれに固有のアドレスが割り当てられている。例えば、周囲の温度を検知する火災感知器５０は、検知した温度を示す情報と、自身に割り当てられているアドレスとを受信機３０へ送信し、煙を感知する火災感知器５０は、感知した煙の状態を示す情報と、自身に割り当てられているアドレスとを受信機３０へ送信する。発信機５１は、火災の発見者により操作されるボタンを有しており、発信機５１にも固有のアドレスが割り当てられている。発信機５１は、ボタンが操作されると、ボタンが操作されたことを示す情報と、自身に割り当てられているアドレスとを受信機３０へ送信する。
【００１４】
また、火災報知設備２においては、受信機３０に接続されている中継器６５−１〜６５−５（以下、それぞれを区別しない場合には中継器６５という）にも、それぞれ固有のアドレスが割り当てられている。
中継器６５−１、６５−２には地区音響装置６１−１、６１−２（以下、それぞれを区別しない場合には地区音響装置６１という）が接続され、中継器６５−３には防火戸６２が接続されている。また、中継器６５−４にはシャッター６３が接続され、中継器６５−５には排煙機６４が接続されている。
【００１５】
中継器６５−１および中継器６５−２は、受信機３０から送られる制御信号を受信し、受信した制御信号に基いて地区音響装置６１を制御する。中継器６５−３は、受信機３０から送られる制御信号を受信し、受信した制御信号に基いて防火戸６２を制御する。中継器６５−４は、受信機３０から送られる制御信号を受信し、受信した制御信号に基いてシャッター６３を制御する。中継器６５−５は、受信機３０から送られる制御信号を受信し、受信した制御信号に基いて排煙機６４を制御する。なお、中継器６５に接続される装置の数は、図１に示した数に限定されるものではなく、図１に示した数より多い数や少ない数であってもよい。
【００１６】
受信機３０は、火災感知器５０や発信機５１から送信される情報に基いて火災の発生を検知し、火災の発生場所を特定する。受信機３０は、火災の発生を検知し、火災の発生場所を特定すると、火災の発生を知らせるメッセージや、火災が発生した場所の表示、火災が発生した場所にある火災感知器５０や発信機５１のアドレスの表示などを行う。また、受信機３０は、通信端末４０と接続されることにより、通信回線１０００を介して火災等の火災報知設備２の情報を外部に出力（送信）したり、外部から送信されたコマンドに応じて火災報知設備２の動作を制御したりする制御装置７０として機能する。
なお、本実施形態においては、受信機３０と通信端末４０とで制御装置７０として機能するが、制御装置７０は、受信機３０及び通信端末４０の機能を有した一つの装置として実現されてもよい。
また、火災報知設備２は、図１においては１つのみ記載されているが、複数の施設に設置されている。このため、通信回線１０００を介してサーバ装置１０と通信が可能な制御装置７０は、施設の数に応じて複数存在する場合がある。各施設にはそれぞれ固有の「物件番号」が割り当てられている。
【００１７】
［携帯端末２０の構成］
携帯端末２０は、パーソナルコンピュータ、ＰＤＡ（Personal Digital Assistant）、携帯電話、スマートフォン又はタブレット端末など、通信回線１０００に接続して通信を行うことが可能な装置である。携帯端末２０は、ＣＰＵ（Central Processing Unit）、ＲＯＭ（Read Only Memory）、ＲＡＭ（Random Access Memory）、不揮発性メモリ、操作手段及び画像の表示手段として機能するタッチスクリーン、通信インターフェースなどを有している。携帯端末２０の不揮発性メモリは、点検者が所持する携帯端末２０に割り当てられた端末ＩＤを記憶している。携帯端末２０においては、ＣＰＵは、ＲＯＭや不揮発性メモリに記憶されたプログラムを実行し、携帯端末２０の各部を制御する。
【００１８】
携帯端末２０のＣＰＵがプログラムを実行すると、通信回線１０００を介してサーバ装置１０と通信を行う機能や、サーバ装置１０から取得したウェブページを表示する機能などが実現する。図２には、携帯端末２０の一例である機能ブロック図が示されている。携帯端末２０は、図２に示したように、受付部２０１、コマンド送信部２０２及び情報受信部２０３を有する。
【００１９】
受付部２０１は、地区音響装置６１を制御するための画面をタッチスクリーンに表示し、地区音響装置６１を制御するためのコマンドを点検者から受け付けるブロックである。コマンド送信部２０２は、受付部２０１が受け付けたコマンドをサーバ装置１０へ送信するブロックである。情報受信部２０３は、サーバ装置１０から送信された情報を受信するブロックである。
【００２０】
［サーバ装置１０の構成］
サーバ装置１０は、ＣＰＵ、ＲＯＭ、ＲＡＭ、ディスプレイ装置、不揮発性メモリ、キーボードやマウスなどの操作手段及び通信回線１０００を介した通信を行う通信インターフェースを備えたコンピュータ装置である。
【００２１】
サーバ装置１０の不揮発性メモリは、図３に示した点検予定テーブルを記憶している。点検予定テーブルは、「端末ＩＤ」、「物件番号」、「点検対象装置」、「点検期間」のフィールドを有する。「端末ＩＤ」のフィールドには、点検者が所持する携帯端末２０に割り当てられた端末ＩＤが格納される。「物件番号」のフィールドには、点検の対象となる火災報知設備２が設置されている施設の物件番号が格納される。「点検対象装置」のフィールドには、火災報知設備２において点検の対象となる装置に割り当てられているアドレスが格納される。例えば、アドレスが０１の装置からアドレスが８５の装置までを点検する場合、図３に示したように、個々の装置のアドレスではなく、アドレスの範囲が格納される。「点検期間」のフィールドには、点検者が点検を行う日時と時間帯を示す情報が格納される。
【００２２】
サーバ装置１０においては、ＣＰＵは、ＲＯＭや不揮発性メモリに記憶されたプログラムを実行し、サーバ装置１０の各部を制御する。サーバ装置１０のＣＰＵがプログラムを実行すると、携帯端末２０から送信されたコマンドを通信端末４０へ送信する機能や、火災報知設備２の状態等を携帯端末２０に表示させるページを生成し、生成したページを携帯端末２０へ送信する機能などが実現する。これらの機能が実現することにより、サーバ装置１０は、火災報知設備２の点検を支援する点検支援装置として機能する。
図２には、サーバ装置１０の一例を示す機能ブロック図が示されている。サーバ装置１０は、図２に示したように、コマンド中継部１０２と情報中継部１０１とを有する。
【００２３】
情報中継部１０１は、携帯端末２０に表示させるページを通信端末４０から送信された情報に基いて生成し、生成したページを携帯端末２０へ送信する。生成されるページには、通信端末４０から送信された情報が含まれるため、情報中継部１０１は、通信端末４０と携帯端末２０との間で、通信端末４０から送信された情報を中継していることになる。
コマンド中継部１０２は、携帯端末２０から送信されたコマンドを通信端末４０へ転送するブロックである。
【００２４】
［通信端末４０の構成］
通信端末４０は、パーソナルコンピュータ、ＰＤＡ（Personal Digital Assistant）、携帯電話、スマートフォン又はタブレット端末など、通信回線１０００に接続して通信を行うことが可能な装置である。通信端末４０は、ＣＰＵ、ＲＯＭ、ＲＡＭ、不揮発性メモリ、操作手段及び表示手段として機能するタッチスクリーン、通信回線１０００を介した通信を行う通信インターフェース、受信機３０と通信を行うインターフェースなどを有する。通信端末４０の不揮発性メモリは、点検者が点検する施設に割り当てられている物件番号を記憶する。
通信端末４０においては、ＣＰＵは、ＲＯＭや不揮発性メモリに記憶されたプログラムを実行し、通信端末４０の各部を制御する。
【００２５】
通信端末４０のＣＰＵがプログラムを実行すると、通信回線１０００を介した通信を行う機能や受信機３０と通信を行う機能などが実現する。図２には、通信端末４０の一例である機能ブロック図が示されている。通信端末４０は、図２に示したように、情報送信部４０１と、コマンド受信部４０２とを有する。
【００２６】
情報送信部４０１は、受信機３０から出力された情報を通信回線１０００を介してサーバ装置１０へ送信するブロックである。コマンド受信部４０２は、携帯端末２０から送信されてサーバ装置１０で中継されたコマンドを受信するブロックである。
【００２７】
［受信機３０の構成］
受信機３０は、ＣＰＵ、ＲＯＭ、ＲＡＭ、不揮発性メモリ、操作手段及び表示手段として機能するタッチスクリーン、通信端末４０と通信を行う通信インターフェース、火災感知器５０や中継器６５が接続されるインターフェースなどを有する。
【００２８】
また、受信機３０の不揮発性メモリは、図４に示した設置データテーブルを記憶している。設置データテーブルは、「アドレス」、「種別」、「メッセージ」及び「連動アドレス」のフィールドを有する。
「アドレス」のフィールドには、火災感知器５０のアドレス、発信機５１のアドレス、中継器６５のアドレスなど、火災報知設備２に係る装置の各々に割り当てられているアドレスが格納される。
「種別」のフィールドには、同じレコードに格納されているアドレスで特定される装置の種別を示す情報が格納される。例えば、アドレスが「０１」である火災感知器５０が、周囲の温度を検知する熱感知器である場合、図４に示したようにアドレスの「０１」に対応付けて「熱感知器」という情報が格納される。また、アドレスが「４１」である装置が、地区音響装置６１−１を制御する中継器６５−１である場合、アドレスの「４１」に対応付けて「中継器」という情報が格納される。
【００２９】
「メッセージ」のフィールドには、同じレコードに格納されているアドレスで特定される装置の設置場所を示す情報が格納される。例えば、アドレスが「０１」である火災感知器５０が、施設の１階の第１会議室に配置されている場合、図４に示したようにアドレスの「０１」に対応付けて、「１階第１会議室」という情報が格納される。
「連動アドレス」のフィールドには、中継器６５に接続されている装置を、どの装置に連動して動作させるかを規定する情報が格納される。例えば、アドレス「０１」が割り当てられた火災感知器５０−１からの信号で火災の発生を検知したときに防火戸６２を閉める場合、防火戸６２が接続されている中継器のアドレスの「４３」に対応付けて、火災感知器５０−１のアドレスである「０１」という情報が格納される。なお、例えば、防火戸６２が、アドレスが０１から１５の範囲の火災感知器５０や発信機５１に連動して動作する場合、連動アドレスのフィールドには、「０１−１５」というように、防火戸６２を動作させる火災感知器５０や発信機５１のアドレスの範囲を格納してもよい。
【００３０】
受信機３０においては、ＣＰＵは、ＲＯＭ又は不揮発性メモリに記憶されたプログラムを実行し、受信機３０の各部を制御する。図２には、受信機３０の一例である機能ブロック図が示されている。受信機３０は、情報出力部３０１と音響装置制御部３０２とを有する。
【００３１】
情報出力部３０１は、受信機３０が火災感知器５０や発信機５１から送信される信号に基いて火災の発生を検知した場合、火災の発生を示す情報を通信端末４０へ出力するブロックである。
音響装置制御部３０２は、コマンド受信部４０２が受信したコマンドを取得し、取得したコマンドに基いて地区音響装置６１を制御するブロックである。なお、音響装置制御部３０２は、受信機３０が有するタッチスクリーンにおいて、地区音響装置６１の制御を行う操作が行われた場合にも、行われた操作に基いて地区音響装置６１を制御する。
なお、受信機３０が、通信回線１０００を介した通信を行う機能を備える場合、情報送信部４０１とコマンド受信部４０２を、受信機３０が有することとなる。
【００３２】
［実施形態の動作例］
次に、点検支援システム１の動作例について説明する。点検前にサーバ装置１０が記憶している点検予定テーブルに、点検予定場所を登録する。まず、携帯端末２０を所持している点検者は、火災感知器５０や発信機５１の点検作業を開始する場合、携帯端末２０を操作してウェブブラウザを起動する（図５：ステップＳ１）。点検者は、ウェブブラウザが起動した携帯端末２０を操作してサーバ装置１０へアクセスする。携帯端末２０がサーバ装置１０へアクセスすると（ステップＳ２）、サーバ装置１０は、ウェブページのデータを携帯端末２０へ送信する（ステップＳ３）。このデータを受信した携帯端末２０においては、図６に例示したウェブページが表示される（ステップＳ４）。図６に示した例においては、ウェブページ内にメインメニューが表示され複数のボタンが配置されている。ここで、点検者が「地区音響装置設定」のボタンの位置に触れると、携帯端末２０がサーバ装置１０と通信を行い（ステップＳ５、Ｓ６）、図７に例示した地区音響装置設定メニューを有するウェブページが表示される（ステップＳ７）。
【００３３】
図７に例示した画面が表示されている状態において、点検者が「鳴動禁止」のボタンの位置に触れると、地区音響装置６１の鳴動を禁止する第１コマンドが入力されたことになり、入力されたコマンドを受付部２０１が受け付ける。また、点検者が「鳴動禁止解除」のボタンの位置に触れると、地区音響装置６１の鳴動禁止を解除する第３コマンドが入力されたことになり、入力されたコマンドを受付部２０１が受け付け、点検者が「瞬時鳴動」のボタンの位置に触れると、地区音響装置６１を短い時間の鳴動させる第２コマンドが入力されたことになり、入力されたコマンドを受付部２０１が受け付ける。
【００３４】
受付部２０１が受け付けたコマンドは、コマンド送信部２０２へ送られる。コマンド送信部２０２は、送られたコマンドと、携帯端末２０の不揮発性メモリに記憶されている端末ＩＤとをサーバ装置１０へ送信する。例えば、点検者が、地区音響装置６１の鳴動を禁止するために「鳴動禁止」のボタンの位置に触れると（ステップＳ８）、鳴動禁止を示すコマンドと、携帯端末２０の端末ＩＤがサーバ装置１０へ送信される（ステップＳ９）。
【００３５】
なお、図７に例示した画面が表示されている状態において、点検者が「戻る」のボタンの位置に触れると、携帯端末２０がサーバ装置１０と通信を行い、携帯端末２０で表示される画面は、図６の画面に戻り、メニュー部分の表示がメインメニューに遷移する。
【００３６】
サーバ装置１０は、携帯端末２０から送信されたコマンドと端末ＩＤを受信し、受信したコマンドの送信先を特定する（ステップＳ１０）。具体的には、サーバ装置１０は、受信した端末ＩＤが格納されているレコードを、点検予定テーブルにおいて検索する。例えば、サーバ装置１０は、受信した端末ＩＤが「５７８」である場合、端末ＩＤのフィールドに「５７８」が格納されているレコードを点検予定テーブルにおいて検索する。ここで、図３に示した点検予定テーブルの場合、端末ＩＤ「５７８」が格納されている１行目のレコードが検索される。
【００３７】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードに格納されている物件番号を抽出する。コマンド中継部１０２は、携帯端末２０から送信されたコマンドを、抽出した物件番号を記憶した通信端末４０を宛先として送信する（ステップＳ１１）。サーバ装置１０から送信されたコマンドは、宛先となった通信端末４０により受信される。通信端末４０のコマンド受信部４０２は、受信したコマンドを受信機３０へ出力する（ステップＳ１２）。なお、点検期間でない場合、サーバ装置１０は通信端末４０にコマンドを送信しない。
【００３８】
この出力されたコマンドは、音響装置制御部３０２が取得する。音響装置制御部３０２は、取得したコマンドに応じて、地区音響装置６１の鳴動を制御する（ステップＳ１３）。ここで、音響装置制御部３０２は、取得したコマンドの内容が「鳴動禁止」の場合、地区音響装置６１の鳴動を禁止とする。地区音響装置６１の鳴動を禁止とすると、地区音響装置６１を鳴動させる制御信号が受信機３０から中継器６５−１および中継器６５−２へ出力されなくなり、地区音響装置６１−１と地区音響装置６１−２が鳴動しない状態となる。
【００３９】
次に点検者は、火災感知器５０の点検作業を開始する（ステップＳ１４）。例えば、火災感知器５０−１が、周囲の温度を感知する感知器である場合、点検者は、試験治具を用いて火災感知器５０−１の周囲の温度を上昇させる。火災感知器５０−１は、受信機３０からの要求に応じて、検知した周囲の温度を表す情報と自身のアドレスとを受信機３０へ送信する。
【００４０】
受信機３０は、火災感知器５０−１から送信された温度を表す情報とアドレスとを受信する。受信機３０は、受信した情報が表す温度が予め定められた温度以上であった場合、火災が発生したと判断し、設置データテーブルにおいて受信したアドレスが格納されているレコードの「メッセージ」のフィールドに格納されているメッセージと、「装置種別」のフィールドに格納されている装置種別を抽出する。次に情報出力部３０１は、火災発生を示す情報（以下、「発報情報」と称する）、火災発生の判断に用いた情報を出力した火災感知器５０のアドレス及び抽出したメッセージを音響装置制御部３０２と通信端末４０へ出力する（ステップＳ１５）。
【００４１】
音響装置制御部３０２は、情報出力部３０１から出力された発報情報を取得する。音響装置制御部３０２は、発報情報を取得すると地区音響装置６１を鳴動させるか判断する。ここで、上述したように地区音響装置６１の鳴動が禁止の状態となっている場合、音響装置制御部３０２は、設置データテーブルの設定にかかわらず地区音響装置６１を鳴動させる制御信号を中継器６５−１および中継器６５−２へ出力しない。地区音響装置６１を鳴動させる制御信号が出力されないため、受信機３０が火災が発生したと判断しても、地区音響装置６１は鳴動しないこととなる。
【００４２】
一方、通信端末４０へ出力された発報情報、アドレス、メッセージ及び装置種別は、情報送信部４０１が受信する。情報送信部４０１は、受信した発報情報、アドレス、メッセージ、装置種別及び記憶している物件番号をサーバ装置１０へ送信する（ステップＳ１６）。
サーバ装置１０の情報中継部１０１は、通信端末４０から送信された発報情報、アドレス、メッセージ、装置種別及び物件番号を受信する。情報中継部１０１が、発報情報、アドレス、装置種別及び物件番号を受信すると、サーバ装置１０は、ウェブページのデータの送信先を特定する（ステップＳ１７）。具体的には、サーバ装置１０は、受信した物件番号が格納されているレコードを点検予定テーブルにおいて検索する。例えば、サーバ装置１０は、受信した物件番号が「０１１」である場合、物件番号のフィールドにおいて「０１１」が格納されているレコードを点検予定テーブルにおいて検索する。ここで、図３に示した点検予定テーブルの場合、物件番号「０１１」が格納されている１行目のレコードが検索される。
【００４３】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードの「点検対象装置」のフィールドに受信したアドレスが格納されているか判断する。例えば、受信したアドレスが「０２」である場合、検索された１行目のレコードの点検対象装置のフィールドには、「１−５５」というように、１から５５までのアドレスを示す情報が格納されているため、受信したアドレスが格納されていることになる。
【００４４】
サーバ装置１０は、受信したアドレスが検索されたレコードに格納されている場合、検索されたレコードに格納されている端末ＩＤ「５７８」を抽出し、抽出した端末ＩＤで特定される携帯端末２０に表示させるウェブページのデータを生成する（ステップＳ１８）。
具体的には、サーバ装置１０は、図８に例示したように、火災発生を知らせるメッセージ（発報）、受信した装置種別（熱感知器）、受信したアドレス（０２）、受信したメッセージ（一階応接室）、受信した物件番号（０１１）、地区音響装置６１を制御するためのボタンを有する地区音響装置設定メニューを有するウェブページを表すデータを生成する。この生成されたデータは、情報中継部１０１により、上記の抽出された端末ＩＤで特定される携帯端末２０へ送信される（ステップＳ１９）。
【００４５】
携帯端末２０の情報受信部２０３は、サーバ装置１０から送信されたデータを受信する。情報受信部２０３がデータを受信すると、携帯端末２０は、受信したデータが表すウェブページをタッチスクリーンに表示する（ステップＳ２０）。これにより、図８に例示したウェブページが携帯端末２０において表示される。
【００４６】
図８に例示した画面が表示されている状態において、点検者が「鳴動禁止」のボタン、「鳴動禁止解除」のボタン又は「瞬時鳴動」のボタンのいずれかの位置に触れると（ステップＳ２１）、受付部２０１が触れた位置に対応したコマンドを受け付ける。受付部２０１が受け付けたコマンドは、ステップＳ９〜ステップＳ１２のときと同様に送信され（ステップＳ２２〜ステップＳ２５）、コマンド受信部４０２が受信する。この出力されたコマンドは、音響装置制御部３０２が取得する。音響装置制御部３０２は、取得したコマンドに応じて、地区音響装置６１の鳴動を制御する（ステップＳ２６）。
【００４７】
例えば、取得したコマンドの内容が「鳴動禁止」の場合、上述した場合と同様に、音響装置制御部３０２は、地区音響装置６１−１と地区音響装置６１−２の鳴動を禁止とする。また、取得したコマンドの内容が「鳴動禁止解除」の場合、音響装置制御部３０２は、地区音響装置６１−１と地区音響装置６１−２の鳴動禁止を解除する。鳴動禁止が解除されると、地区音響装置６１−１と地区音響装置６１−２の鳴動が許可された状態となる。鳴動禁止が解除された状態においては、情報出力部３０１が発報情報を出力した場合、音響装置制御部３０２は、設置データテーブルに基き地区音響装置６１−１と地区音響装置６１−２を鳴動させる制御信号を中継器６５−１および中継器６５−２へ出力する。この制御信号が中継器６５−１および中継器６５−２へ送られると、地区音響装置６１−１と地区音響装置６１−２が鳴動する。
また、取得したコマンドの内容が「瞬時鳴動」の場合、音響装置制御部３０２は、地区音響装置６１−１と地区音響装置６１−２が予め定められた時間だけ鳴動するように制御する。なお、音響装置制御部３０２は、コマンドを取得する前の状態が「鳴動禁止」の状態であった場合、鳴動禁止を解除し、予め定められた時間（例えば数秒間）地区音響装置６１−１と地区音響装置６１−２を鳴動させたあと、鳴動禁止の状態に戻す。
【００４８】
以上説明したように、本実施形態によれば、点検者が受信機３０を操作しなくても、地区音響装置６１の鳴動を遠隔制御できる。また、本実施形態においては、鳴動禁止の状態にあっても、瞬時鳴動のコマンドを受信するだけで鳴動禁止の解除→鳴動→鳴動禁止という処理が行われるため、人の操作によるコマンド入力の遅延や通信回線の遅延による影響を受けることなく、直ぐに鳴動禁止の状態に戻すことができる。
【００４９】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００５０】
上述した実施形態においては、受信機３０はＲ型となっているが、Ｒ型に限定されるものではなく、Ｐ型（Proprietary-type）の受信機であってもよい。
また、上述した実施形態においては、地区音響装置６１や防火戸６２、シャッター６３、排煙機６４などは中継器６５に接続され、中継器６５を介して受信機３０から制御されるが、中継器６５を介さずに受信機３０に接続し、受信機３０から各装置を直接制御するようにしてもよい。
上述した実施形態においては、受信機３０を操作することにより、鳴動禁止の状態又は鳴動禁止解除の状態となるようにしてもよい。
【００５１】
上述した実施形態においては、点検支援システム１は、サーバ装置１０を含む構成となっているが、サーバ装置１０を備えない構成であってもよい。例えば、通信端末４０に点検予定テーブルを記憶させ、通信端末４０において、サーバ装置１０が有する機能が実現するようにしてもよい。この構成によれば、サーバ装置１０を中継せずに通信端末４０と携帯端末２０とが情報やコマンドをやり取りするため、送られた情報やコマンドが送信先に到達するまでの時間を短くすることができる。
【００５２】
上述した実施形態においては、瞬時鳴動のコマンドを受信機３０が受信すると、火災報知設備２が備える全ての地区音響装置６１が予め定められた時間の間だけ鳴動するが、この構成に限定されるものではない。
例えば、受信機３０は、瞬時鳴動のコマンドを受信した場合、火災報知設備２が備える地区音響装置６１−１を所定時間鳴動させたあと、地区音響装置６１−２を所定時間鳴動させるというように、地区音響装置６１を順番に鳴動させるようにしてもよい。
また、地区音響装置６１を所定時間鳴動させる場合、携帯端末２０で表示するウェブページにおいて、地区音響装置６１のアドレスを入力するユーザインターフェースを設け、入力されたアドレスで特定される地区音響装置６１を所定時間鳴動させるようにしてもよい。
【００５３】
火災感知器５０においては、火災感知器５０の試験を指示する命令が火災受信機３０から送られると、火災であることを示す信号を火災受信機３０へ送信するものもある。上述した点検支援システム１においては、このような火災感知器５０を用いるようにしてもよい。
【符号の説明】
【００５４】
１…点検支援システム、２…火災報知設備、１０…サーバ装置、２０…携帯端末、３０…受信機、４０…通信端末、５０、５０−１〜５０−ｎ…火災感知器、５１…発信機、６１、６１−１、６１−２…地区音響装置、６２…防火戸、６３…シャッター、６４…排煙機、６５、６５−１〜６５−５…中継器、７０…制御装置、１０１…情報中継部、１０２…コマンド中継部、２０１…受付部、２０２…コマンド送信部、２０３…情報受信部、３０１…情報出力部、３０２…音響装置制御部、４０１…情報送信部、４０２…コマンド受信部。
【図１】
2014071661.tif 000003
【図２】
2014071661.tif 000004
【図３】
2014071661.tif 000005
【図４】
2014071661.tif 000006
【図５】
2014071661.tif 000007
【図６】
2014071661.tif 000008
【図７】
2014071661.tif 000009
【図８】
2014071661.tif 000010